(57)【要約】【課題】多様な設置スペースに容易に設置可能な照明装置を提供する。【解決手段】照明装置は、管状の光源を備えた光源部１に設けられた取り付け部材２が設置面に固定されることによって設置面に設置される照明装置において、取り付け部材２は、光源部１に対して回動可能であるとともに、設置面に固定される固定部２ａを有し、固定部２ａは、取り付け部材２が回動させられることによって、光源部１と設置面との間の対向領域より外側の外側領域内において移動可能であることを特徴とする。【選択図】図１
2010080405.tif 000002
【特許請求の範囲】
【請求項１】
管状の光源を備えた光源部に設けられた取り付け部材が設置面に固定されることによって前記設置面に設置される照明装置において、
前記取り付け部材は、前記光源部に対して回動可能であるとともに、前記設置面に固定される固定部を有し、
前記固定部は、前記取り付け部材が回動させられることによって、前記光源部と前記設置面との間の対向領域より外側の外側領域内において移動可能であることを特徴とする照明装置。
【請求項２】
前記固定部は、前記外側領域内の少なくとも第１の位置と第２の位置とに移動可能であって、
前記第１の位置は、前記対向領域よりも前記光源部の前記設置面に対向する背面の長辺方向外側にあり、前記第２の位置は、前記対向領域よりも前記光源部の前記背面の短辺方向外側にある、請求項１に記載の照明装置。
【請求項３】
前記取り付け部材は前記光源部の長手方向の両端部にそれぞれ設けられている、請求項１または２に記載の照明装置。
【請求項４】
前記取り付け部材は前記光源部の長手方向に移動可能である、請求項１または２に記載の照明装置。
【請求項５】
前記光源は冷陰極蛍光ランプである、請求項１から４のいずれか１項に記載の照明装置。
【発明の詳細な説明】
【技術分野】
【０００１】
本発明は、天井などの設置面に設置される照明装置に関する。
【背景技術】
【０００２】
冷陰極蛍光ランプ（ＣＣＦＬ）などの管状の光源を備えた光源部を有する照明装置には、一般的に、天井などの設置面に背面を対向させて設置するための取り付け金具などの取り付け部材が設けられる。
【０００３】
図５および図６は、一般的な取り付け部材が設けられた照明装置の背面図である。
【０００４】
図５に示した照明装置は、管状の光源を備えた光源部１０１と、光源部１０１の長手方向の両端部にそれぞれ設けられた取り付け部材１０２と、を有している。各取り付け部材１０２は保持部１０２ｂをそれぞれ有しており、保持部１０２ｂが光源部１０１に固定されている。
【０００５】
ここで、光源部１０１の長手方向に平行な軸をＸ軸とし、Ｘ軸に直交し、この照明装置が設置される際に設置面に平行になる軸をＹ軸とする。すなわち、この照明装置が設置される際に設置面に対向する光源部１０１の背面の長辺はＸ軸に平行になり、短辺はＹ軸に平行になる。
【０００６】
各取り付け部材１０２には、図５の紙面上方向をＹ軸の正の方向とし、紙面下方向をＹ軸の負の方向とすると、各保持部１０２ｂからＹ軸の正の方向および負の方向にそれぞれ延びた突出部１０２ｃを有している。突出部１０２ｃには固定穴１０２ａが形成されている。突出部１０２ｃは、この照明装置が設置面に設置される際に光源部１０１と設置面との間の領域より外側の位置にある。
【０００７】
この照明装置の取り付け部材１０２は、前面から背面に向けて固定穴１０２ａを通されたネジ等が設置面に差し込まれることによって設置面に固定される。これにより、この照明装置は設置面に設置される。この照明装置では突出部１０２ｃに固定穴１０２ａが設けられているため、この照明装置の前面側に配置された光源部１０１にネジ等を接触させることなく、取り付け部材１０２を設置面に固定することが可能である。
【０００８】
一方、図６に示した照明装置の各取り付け部材１１２は各保持部１１２ｂからＸ軸方向に互いに離れるように延びた突出部１１２ｃを有している。突出部１１２ｃには固定穴１１２ａが形成されている。突出部１１２ｃは、この照明装置が設置面に設置される際に光源部１０１と設置面との間の領域より外側の位置にある。
【０００９】
照明装置を設置するスペースがＹ軸方向に狭い場合には、図５に示した照明装置では、取り付け部材１０２の突出部１０２ｃが邪魔になって設置できない場合がある。その場合には、図６に示した照明装置のように、突出部がＹ軸方向に延ばされておらず、設置する際に突出部が邪魔にならない照明装置を用いることができる。
【００１０】
一方、照明装置を設置するスペースがＸ軸方向に狭い場合には、図６に示した照明装置では、取り付け部材１１２の突出部１１２ｃが邪魔になって設置できない場合がある。その場合には、図５に示した照明装置のように、突出部がＸ軸方向に延ばされておらず、設置する際に突出部が邪魔にならない照明装置を用いることができる。
【００１１】
図７は、照明装置を設置するスペースがＸ軸方向に狭い場合にもＹ軸方向に狭い場合にも設置可能な照明装置の背面図である。
【００１２】
この照明装置の取り付け部材１２２には、保持部１２２ａからＸ軸方向およびＹ軸方向にそれぞれ延びた突出部１２２ｃ，１２２ｄが形成されている。また、各突出部１２２ｃ，１２２ｄにはそれぞれ固定穴１２２ａが形成されている。
【００１３】
この照明装置では、照明装置を設置するスペースがＹ軸方向に狭い場合には、突出部１２２ｄを事前に切り取ることや折り曲げることにより、設置する際に突出部１２２ｄが邪魔にならないようにして、突出部１２２ｃに形成された固定穴１２２ａを用いて設置可能である。
【００１４】
また、この照明装置では、照明装置を設置するスペースがＸ軸方向に狭い場合には、突出部１２２ｃを事前に切り取ることや折り曲げることにより、設置する際に突出部１２２ｃが邪魔にならないようにして、突出部１２２ｄに形成された固定穴１２２ａを用いて設置可能である。
【００１５】
本願発明に関連する技術が特許文献１に開示されている。
【特許文献１】特開２００２−３０４９１０号公報
【発明の開示】
【発明が解決しようとする課題】
【００１６】
しかし、図５および図６に示した照明装置では、設置する際に、設置スペースに合わせていずれかの照明装置を選択する必要があるため面倒である。
【００１７】
また、図７に示した照明装置は、多様な設置スペースに設置可能ではあるが、設置スペースに合わせて取り付け部材に加工を施す必要があり設置する際に手間がかかる。
【００１８】
そこで、本発明は、多様な設置スペースに容易に設置可能な照明装置を提供することを目的とする。
【課題を解決するための手段】
【００１９】
上記目的を達成するため、本発明の照明装置は、管状の光源を備えた光源部に設けられた取り付け部材が設置面に固定されることによって前記設置面に設置される照明装置において、前記取り付け部材は、前記光源部に対して回動可能であるとともに、前記設置面に固定される固定部を有し、前記固定部は、前記取り付け部材が回動させられることによって、前記光源部と前記設置面との間の対向領域より外側の外側領域内において移動可能であることを特徴とする。
【発明の効果】
【００２０】
本発明によれば、多様な設置スペースに容易に設置可能な照明装置を提供することができる。
【発明を実施するための最良の形態】
【００２１】
次に、本発明の実施形態について図面を参照して説明する。
【００２２】
図１〜３は、本発明の一実施形態に係る照明装置の背面図である。
【００２３】
図１に示すように、この照明装置は、管状の光源として冷陰極蛍光ランプを備えた光源部１と、光源部１の背面側の、光源部１の長手方向の両端部にそれぞれ設けられた取り付け部材２と、光源部１と各取り付け部材２とをそれぞれ連結させる連結部３と、を有している。取り付け部材２は、光源部１に対して連結部３を中心に回動可能である。
【００２４】
ここで、光源部１の長手方向に平行な軸をＸ軸とし、Ｘ軸に直交し、この照明装置が設置される際に設置面に平行になる軸をＹ軸とする。すなわち、この照明装置が設置される際に設置面に対向する光源部１の背面の長辺はＸ軸に平行になり、短辺はＹ軸に平行になる。
【００２５】
また、光源部１の背面と、この照明装置が設置面に設置される際に光源部１の背面に対向する設置面との間の領域を対向領域とし、対向領域より外側の領域を外側領域とする。
【００２６】
各取り付け部材２には、取り付け部材２を回動させることによって外側領域に配置可能な部分である固定部にそれぞれ固定穴２ａが形成されている。固定穴２ａは取り付け部材２が回動させられることによって、外側領域を移動可能である。この照明装置では、設置面に設置する際に、固定穴２ａを外側領域に配置させる。
【００２７】
この照明装置の取り付け部材２は、前面から背面に向けて固定穴２ａを通されたネジ等が設置面に差し込まれることによって設置面に固定される。これにより、この照明装置は設置面に設置される。
【００２８】
この照明装置では、設置する際に固定穴２ａを外側領域に配置させることによって、この照明装置の前面側に配置された光源部１にネジ等を接触させることなく取り付け部材２を設置面に固定することが可能である。
【００２９】
この照明装置では、設置スペースがＹ軸方向に狭い場合には、図２に示すように、固定穴２ａを対向領域よりもＸ軸方向外側にある第１の位置に配置させる。これにより、取り付け部材２が対向領域からＹ軸方向外側に突出しないため、設置する際に取り付け部材２が邪魔になることを防止できる。なお、固定穴２ａを配置させる位置は図２に示した第１の位置に限らず、対向領域よりもＸ軸方向外側であればよい。
【００３０】
また、この照明装置では、設置スペースがＸ軸方向に狭い場合には、図３に示すように、固定穴２ａを対向領域よりもＹ軸方向外側にある第２の位置に配置させる。これにより、取り付け部材２が対向領域からＸ軸方向外側に突出しないため、設置する際に取り付け部材２が邪魔になることを防止できる。なお、固定穴２ａを配置させる位置は図３に示した第２の位置に限らず、対向領域よりもＹ軸方向外側であればよい。
【００３１】
このように、この照明装置は、取り付け部材２を回動させることによって、設置スペースがＸ軸方向に狭い場合にもＹ軸方向に狭い場合にも容易に設置可能である。
【００３２】
なお、この照明装置は、設置スペースがＸ軸方向またはＹ軸方向に狭い場合に限らず、設置スペースに合わせて各固定穴２ａを外側領域の任意の位置にそれぞれ配置させて設置されることができる。そのため、この照明装置は多様な設置スペースに容易に設置可能である。
【００３３】
また、本実施形態に係る照明装置は取り付け部材２を２つ備えているが、照明装置は取り付け部材を少なくとも１つ備えていれば設置面に設置されることができ、取り付け部材を３つ以上備えていてもよい。また、照明装置を設置する際には、必要に応じて、照明装置を固定する他の手法を併用することができる。
【００３４】
また、本実施形態に係る照明装置は各取り付け部材２にそれぞれ１つの固定穴２ａが形成されているが、照明装置は各取り付け部材にそれぞれ複数の固定穴が形成されていてもよい。また、照明装置の取り付け部材にあらかじめ固定穴が形成されていなくてもよい。この場合には、照明装置を設置する際に、外側領域に配置させた取り付け部材の固定部に穴をあけることによって、取り付け部材を設置面に固定することができる。
【００３５】
図４は、図１〜３に示した照明装置の変形例に係る照明装置の背面図である。
【００３６】
この照明装置では、連結部１３が光源部１１の長手方向に移動可能なように設けられている。これにより、取り付け部材１２を光源部１１の長手方向に移動させることができる。
【００３７】
連結部１３は、たとえば、光源部１１に周方向に巻き付けられた金具１３ａを備え、金具１３ａによって光源部１１に保持されるように構成することができる。この場合、金具１３ａを光源部１１に対して摺動させることによって取り付け部材１２を光源部１１の長手方向に移動させることができる。
【００３８】
この照明装置は、設置する際に、設置スペースに合わせて取り付け部材１２を邪魔にならない位置に移動させることができるため、多様な設置スペースに設置することが可能である。
【図面の簡単な説明】
【００３９】
【図１】本発明の一実施形態に係る照明装置の背面図である。
【図２】図１に示した照明装置の背面図である。
【図３】図１に示した照明装置の背面図である。
【図４】図１に示した照明装置の変形例に係る照明装置の背面図である。
【図５】本願発明に関連する照明装置の背面図である。
【図６】本願発明に関連する照明装置の背面図である。
【図７】本願発明に関連する照明装置の背面図である。
【符号の説明】
【００４０】
１      光源部
２      取り付け部材
２ａ    固定穴
３      連結部
【図１】
2010080405.tif 000003
【図２】
2010080405.tif 000004
【図３】
2010080405.tif 000005
【図４】
2010080405.tif 000006
【図５】
2010080405.tif 000007
【図６】
2010080405.tif 000008
【図７】
2010080405.tif 000009